(57)【要約】【課題】親機が他無線システムやノイズ発生源からの電波干渉を受けて動作し、その結果不要に生じる電力の消費低減を図ると共に、通信トラフィックの軽減を図ること。【解決手段】少なくとも受信検知レベルが可変可能に受信を行なうと共に送信機能をもつ親機無線通信手段２と、親機無線通信手段２が送信時にデータに付加する識別符号（ＩＤ）を記憶する親機ＩＤ記憶手段３と、親機無線通信手段２が受信した受信レベルを検出する子機受信レベル検出手段４と、子機受信レベルに所定のマージンを付加する親機キャリアセンスレベル算出手段７と、親機キャリアセンスレベル算出手段７で算出されたレベルを親機無線通信手段２に設定する親機キャリアセンスレベル設定手段６を親機１に設けている。これによって、親機１がサポートしている子機１１以外の無線からの無線干渉を低減することができる。【選択図】  図１
2004186865.tif 000002
【特許請求の範囲】
【請求項１】
親機と、該親機と通信可能な少なくとも１台の子機から構成される無線通信システムにおいて、前記親機は、少なくとも受信検知レベル（キャリアセンスレベル）が可変可能に受信を行なうと共に送信機能をもつ親機無線通信手段と、前記親機無線通信手段が送信時にデータに付加する識別符号（ＩＤ）を記憶する親機ＩＤ記憶手段と、前記親機無線通信手段が受信した受信レベルを検出する子機受信レベル検出手段と、子機受信レベルに所定のマージンを付加する親機キャリアセンスレベル算出手段と、前記親機キャリアセンスレベル算出手段で算出されたレベルを前記親機無線通信手段に設定する親機キャリアセンスレベル設定手段と、親機無線通信手段からの受信データを解析する親機受信解析手段と、前記親機無線通信手段を送信状態にする親機送信制御手段と、前記送受信データなどの処理を行う親機制御手段とを備え、前記子機は、前記親機と送受信する子機無線通信手段と、前記子機無線通信手段が送信時にデータに付加する識別符号（ＩＤ）を記憶する子機ＩＤ記憶手段と、前記子機無線通信手段からの受信データを解析する子機受信解析手段と、前記子機無線通信手段にデータ送信の処理を行う子機送信制御手段と、前記送受信データなどの処理を行う子機制御手段とを備えた無線データ収集システム。
【請求項２】
子機受信レベル検手段は親機がサポートする全ての子機からの受信レベルの中から最も低いレベルを検出するよう動作する請求項１記載の無線データ収集システム。
【請求項３】
子機は、子機無線通信手段が受信した受信レベルを検出する親機受信レベル検出手段と、親機受信レベルに所定のマージンを付加する子機キャリアセンスレベル算出手段と、前記子機キャリアセンスレベル算出手段で算出されたレベルを前記子機無線通信手段に設定する子機キャリアセンス設定手段とを備えた請求項１記載の無線データ収集システム。
【請求項４】
親機は、親機キャリアセンスレベル算出手段の内容を子機に送信する請求項１、２または３記載の無線データ収集システム。
【請求項５】
所定時間受信が行わなければキャリアセンス設定手段が所定の値を親機無線通信手段または子機無線通信手段に設定する請求項１、２または３記載の無線データ収集システム。
【請求項６】
親機キャリアセンスレベル算出手段の値は、少なくとも通信媒体を介して確認可能である請求項１、２または３記載の無線データ収集システム。
【発明の詳細な説明】
【０００１】
【発明の属する技術分野】
本発明は、親機と１台以上の子機とから構成される無線システムの電波干渉が軽減さた無線データ収集システムに関するものである。
【０００２】
【従来の技術】
従来のこの種の無線データ収集システムは親機から送信された同報電文に対する子機の応答電文から干渉台数を算出し最も干渉の少ない周波数を選定するものがある（例えば、特許文献１参照）。
【０００３】
図１１において、複数の周波数から選択された周波数を用いて通信を行う無線通信システムにおいて、少なくとも２つ以上の無線周波数で送信または受信を行う親機無線通信手段２と、親機無線通信手段２が送信時にデータに付加するＩＤを記憶する親機ＩＤ記憶手段３と、親機無線通信手段２の送信周波数を記憶する親機チャンネル記憶手段２０（以下チャンネルをＣＨという）と、親機無線通信手段２に干渉を調べるための同報電文を送出させ、その応答を親機受信解析手段８からその結果を判断し親機ＣＨ記憶手段２０を変更する干渉台数検出手段２１と、親機無線通信手段２にデータ送信の処理を行う親機送信制御手段８と、親機無線通信手段２からの受信データを解析する親機受信データ解析手段７と送受信データ等の処理を行う親機制御手段９を備えた親機と、少なくとも２つ以上の無線周波数で送信または受信を行う子機無線通信手段１２と、子機無線通信手段１２が送信時にデータに付加するＩＤを記憶する子機ＩＤ記憶手段１３と、子機無線通信手段１３の送信周波数を記憶する子機ＣＨ記憶手段２２と、子機無線通信手段１２からの受信データを解析する子機受信解析手段１７と、子機無線通信手段１２にデータ送信の処理を行う子機送信制御手段１８と、送受信データなどの処理を行う子機制御手段を備えた子機とから構成され、親機は干渉台数検出手段により子機との通信を行い最も干渉の少ない周波数を検出し、その周波数に親機無線通信手段２の周波数を変更するように動作する。
【０００４】
【特許文献１】
特開平１０−４２３５３号公報
【０００５】
【発明が解決しようとする課題】
しかしながら、上記従来の無線データ収集システムでは、設置されるシステムが同じ仕様のものでなければ同報のデータを収集することができず、同じ周波数を使用しているにもかかわらず通信プロトコルが異なったシステムが近傍にある場合には干渉の検出が困難であった。また、電波の干渉が発生すると無線機親機・子機が不必要に動作することになり、消費電力が増加するという課題があった。
【０００６】
【課題を解決するための手段】
本発明は上記課題を解決するため、無線機親機は自分がサポートしている子機から受信が合ったと判断した場合、その受信レベルにマージンを加えた値で以後の受信を行うため、自分がサポートしていない必要以上に受信レベルの低い子機に対して受信しないように動作するようにしたものである。
【０００７】
上記発明によれば、自システムの近傍に他社システムが設置された場合に、それらとの電波干渉を低減することが可能となる。
【０００８】
【発明の実施の形態】
本発明の請求項１にかかる無線データ収集システムは、親機と１台以上の子機から構成される無線通信システムにおいて、少なくとも受信検知レベル（キャリアセンスレベル）が可変可能に受信を行ない、送信機能をもつ親機無線通信手段と、前記親機無線通信手段が送信時にデータに付加する識別符号（ＩＤ）を記憶する親機ＩＤ記憶手段と、前記親機無線通信手段が受信した受信レベルを検出する子機受信レベル検出手段と、子機受信レベルに所定のマージンを付加する親機キャリアセンスレベル算出手段と、前記親機キャリアセンスレベル算出手段で算出されたレベルを前記親機無線通信手段に設定するキャリアセンス設定手段と、親機無線通信手段からの受信データを解析する親機受信解析手段と、前記親機無線通信手段を送信状態にするための親機送信制御手段と、前記送受信データなどの処理を行う親機制御手段を備えた親機と、前記親機と送信または受信を行う子機無線通信手段と、前記子機無線通信手段が送信時にデータに付加する識別符号（ＩＤ）を記憶する子機ＩＤ記憶手段と、前記子機無線通信手段からの受信データを解析する子機受信解析手段と、前記子機無線通信手段にデータ送信の処理を行う子機送信制御手段と、前記送受信データなどの処理を行う子機制御手段を備えた子機を有するものである。
【０００９】
そして、親機キャリアセンスレベル算出手段により親機が子機から受信した受信レベルにマージンを入れたレベルをキャリアセンスレベルとして設定するため親機が受ける電波などの干渉を低減することが可能となる。
【００１０】
また、本発明の請求項２にかかる無線データ収集システムは、親機がサポートする全ての子機からの受信レベルの中から最も低いレベルを検出するよう動作させるようにした子機受信レベル検出手段を有するものである。
【００１１】
そして、子機受信解析手段により親機がサポートする受信レベルの最も低い子機の受信レベルにマージンを入れたレベルをキャリアセンスレベルとして動作するためシステム全体として親機が受ける電波の干渉を低減することが可能となる。
【００１２】
また、本発明の請求項３にかかる無線データ収集システムは、子機に子機無線通信手段が受信した受信レベルを検出する親機受信レベル検出手段と、親機受信レベルに所定のマージンを付加する子機キャリアセンスレベル算出手段と、前記子機キャリアセンスレベル算出手段で算出されたレベルを前記子機無線通信手段に設定する子機キャリアセンス設定手段とを有するものである。
【００１３】
そして、子機キャリアセンスレベル算出手段により子機が親機から受信した受信レベルにマージンを入れたレベルをキャリアセンスレベルとして設定するため子機が受ける電波などの干渉を低減することが可能となる。
【００１４】
また、本発明の請求項４にかかる無線データ収集システムは、親機は親機キャリアセンスレベル算出手段の内容を子機に送信するように構成したものである。
【００１５】
そして、子機は親機からの指示により適切なキャリアセンスレベルが設定されるため子機が受ける電波の干渉を低減することが可能となる。
【００１６】
また、本発明の請求項５にかかる無線データ収集システムは、所定時間受信が行わなければキャリアセンス設定手段が所定の値を親機無線通信手段または子機無線通信手段に設定するように構成したものである。
【００１７】
そして、環境などの変化により設定されたキャリアセンスレベルでは受信ができなくなった場合に、キャリアセンスレベルを初期状態に戻すため通信不能といった事態から回避することが可能となる。
【００１８】
また、本発明の請求項６にかかる無線データ収集システムは、少なくとも親機キャリアセンスレベル算出手段の値が通信媒体を介して確認可能に構成したものである。
【００１９】
そして、親機は無線チャンネルの変更をセンターなどに通報するため、センターは無線システムが使用しているキャリアセンスレベルを把握できるためシステムの管理を綿密に行うことが可能となる。
【００２０】
【実施例】
以下、本発明の実施例について図面を用いて説明する。
【００２１】
（実施例１）
図１は本発明の実施例１の無線データ収集システムを示すブロック図である。
【００２２】
図１において、１は親機であり、少なくとも受信検知レベル（キャリアセンスレベル）が可変可能に受信を行なうと共に送信機能をもつ親機無線通信手段２と、親機無線通信手段２が送信時にデータに付加する識別符号（ＩＤ）を記憶する親機ＩＤ記憶手段３と、親機無線通信手段２が受信した受信レベルを検出する子機受信レベル検出手段４と、子機受信レベルに所定のマージンを付加する親機キャリアセンスレベル算出手段５と、親機キャリアセンスレベル算出手段５で算出されたレベルを親機無線通信手段２に設定する親機キャリアセンスレベル設定手段６と、親機無線通信手段２からの受信データを解析する親機受信解析手段７と、親機無線通信手段２を送信状態にするための親機送信制御手段８と、前記送受信データなどの処理を行う親機制御手段９を備えている。
【００２３】
一方２は子機であり、親機１と送信または受信を行う子機無線通信手段１２と、子機無線通信手段１２が送信時にデータに付加する識別符号（ＩＤ）を記憶する子機ＩＤ記憶手段１３と、子機無線通信手段１２からの受信データを解析する子機受信解析手段１７と、子機無線通信手段１２にデータ送信の処理を行う子機送信制御手段１７と、前記送受信データなどの処理を行う子機制御手段１９を備えている。
【００２４】
また、上記子機受信レベル検出手段４は子機１１の子機ＩＤにより親機１がサポートしている子機からの受信のみを判定するように構成されている。また、図示はしないが親機１、子機２１は電池電源で構成され設置工事が簡単になるように構成されている。
【００２５】
更に、親機ＩＤ記憶手段３、親機キャリアセンスレベル算出手段５、親機受信解析手段７、親機送信制御手段８、親機制御手段９等はマイクロコンピュータで構成されている。更に、図示はしないが親機無線通信手段の受信部にはＤ／Ａを用いてキャリアセンスレベルの検出レベルを可変するよう構成されている。
【００２６】
図２は本発明の実施例１の無線データ収集システムの設置例を示す図である。
【００２７】
図２において、３１は道路でありその周辺に親機１ａを設置した住宅３０ａと、親機１ａがサポートする子機１１ａ、１１ｂ、１１ｃ、１１ｄがそれぞれ住宅３０ｂ、３０ｃ、３０ｄ、３０ｅに設置されている。
【００２８】
また、親機１ｂは住宅３０ｉに設置され、親機１ｂがサポートする子機１１ｅ、１１ｆ、１１ｇ、２１ｈがそれぞれ住宅３０ｆ、３０ｇ、３０ｈ、３０ｊに設置されている。この中で破線３２は親機１ａが送信する電波の到達距離であり、親機１ａは子機１１ａ、１１ｂ、１１ｃ、１１ｄをその範囲に入れているが、親機１ｂのシステムの親機１ｂ、子機１１ｅ、１１ｆ、１１ｇ、１１ｈもその範囲にはいっている。
【００２９】
また、親機１ｂがキャリアセンスレベルを上げた場合には他から送信される電波の到達範囲が狭くなったのと同等の状況になるが、この状況は破線３３で示す。従って、親機１ｂがキャリアセンスレベルを高くすることにより、少なくとも親機１ｂは親機１ａの影響を受けなくすることが可能となる。また、近傍にノイズ発生源４１がある場合も同様である。
【００３０】
図３は本発明の実施例１の無線データ収集システムを構成する子機受信レベル検出手段４、親機キャリアセンスレベル算出手段５、親機キャリアセンスレベル設定手段６などの要部動作を示すフローチャート図である。
【００３１】
図３において、ステップ４２で親機無線通信手段２が受信後、ステップ４３で親機１宛のデータを受信したかどうかを判定し、親機１宛でなければステップ４６のシステムのその他の処理を行う。親機１宛の場合には、ステップ４４で子機受信レベル検出手段４で子機からの受信レベルの検出を行ない、ステップ４５において親機キャリアセンスレベル算出手段５により、例えば子機受信レベルがー５０ｄＢｍであれば、マージンを入れてキャリアセンスレベルを−７０ｄＢｍの算出を行い、親機キャリアセンスレベル設定手段６により親機無線通信手段２のキャリアセンスレベルを−７０ｄＢｍに設定する。
【００３２】
また、親機１のキャリアセンスレベルの初期状態が−１００ｄＢｍに設定されているとすると、上記設定により３０ｄＢ程、他のシステムからの電波干渉を受ける度合いが低減する。また、上記マージンは受信レベルによって変えることも可能である。
【００３３】
以上のように、親機キャリアセンスレベル設定手段６などにより、親機無線通信手段２のキャリアセンスレベルの設定を変えることにより親機が受ける電波などの干渉を低減することが可能となり、不必要に電池電源の消費を防止することが可能になる。
【００３４】
（実施例２）
図４は本発明の実施例１の無線データ収集システムを構成する子機受信レベル検出手段４、親機キャリアセンスレベル算出手段５、親機キャリアセンスレベル設定手段６などの要部動作を示すフローチャートである。
【００３５】
図４において、ステップ５２で親機無線通信手段２が受信後、ステップ５３で親機１宛のデータを受信したかどうかを判定し、親機１宛でなければステップ５７のシステムのその他の処理を行う。親機１宛の場合には、ステップ５４で親機１がサポートする子機全てを受信したかを判定し、未だの場合にはステップ５８の処理に進み、子機の受信レベルの解析を行いその結果を保存しておく。
【００３６】
一方、全ての子機の受信レベルを受信した場合には、ステップ５５で全ての子機の中の最も低い受信レベルの値を求め、ステップ５６において親機キャリアセンスレベル算出手段５により、例えば子機受信レベルがー５０ｄＢｍであれば、マージンを入れてキャリアセンスレベルを−７０ｄＢｍの算出を行い、親機キャリアセンスレベル設定手段６により親機無線通信手段２のキャリアセンスレベルを−７０ｄＢｍに設定する。
【００３７】
また、親機１のキャリアセンスレベルの初期状態が−１００ｄＢｍに設定されているとすると、上記設定により３０ｄＢ程、親機１のシステムが他のシステムからの電波干渉を受ける度合いが低減する。
【００３８】
以上のように、親機キャリアセンスレベル設定手段６などにより、親機無線通信手段２のキャリアセンスレベルの設定を変えることにより親機が受ける電波などの干渉を低減することが可能となり、不必要に電池電源の消費を防止することが可能になる。
【００３９】
（実施例３）
図５は本発明の実施例３の無線データ収集システムのブロック図である。
【００４０】
図５において、１１は子機であり少なくとも受信検知レベル（キャリアセンスレベル）が可変可能に受信を行なうと共に送信機能をもつ親機無線通信手段１２と、親機無線通信手段１２が送信時にデータに付加する識別符号（ＩＤ）を記憶する子機ＩＤ記憶手段１３と、親機無線通信手段１２が受信した受信レベルを検出する親機受信レベル検出手段１４と、親機受信レベルに所定のマージンを付加する子機キャリアセンスレベル算出手段１５と、子機キャリアセンスレベル算出手段１５で算出されたレベルを子機無線通信手段１２に設定する子機キャリアセンスレベル設定手段１６と、子機無線通信手段１２からの受信データを解析する子機受信解析手段１７と、子機無線通信手段１２を送信状態にするための子機送信制御手段１８と、前記送受信データなどの処理を行う子機制御手段１９を備えている。
【００４１】
また、上記親機受信レベル検出手段１４は親機１の親機ＩＤにより子機１１がサポートされている親機からの受信のみを判定するように構成されている。
【００４２】
図６は本発明の実施例３の無線データ収集システムを構成する親機受信レベル検出手段１４、子機キャリアセンスレベル算出手段１５、子機キャリアセンスレベル設定手段１６などの要部動作を示すフローチャート図である。
【００４３】
図６において、ステップ６２で子機無線通信手段１２が受信後、ステップ６３で子機１１宛のデータを受信したかどうかを判定し、子機１１宛でなければステップ６６のシステムのその他の処理を行う。子機１１宛の場合には、ステップ６４で親機受信レベル検出手段１４で親機からの受信レベルの検出を行ない、ステップ６５において子機キャリアセンスレベル算出手段１５により、例えば親機受信レベルがー５０ｄＢｍであれば、マージンを入れてキャリアセンスレベルを−７０ｄＢｍの算出を行い、子機キャリアセンスレベル設定手段１６により子機無線通信手段１２のキャリアセンスレベルを−７０ｄＢｍに設定する。
【００４４】
また、子機１のキャリアセンスレベルの初期状態が−１００ｄＢｍに設定されているとすると、上記設定により３０ｄＢ程、他のシステムからの電波干渉を受ける度合いが低減する。
【００４５】
以上のように、子機キャリアセンスレベル設定手段１６などにより、子機無線通信手段１２のキャリアセンスレベルの設定を変えることにより子機が受ける電波などの干渉を低減することが可能となり、不必要に電池電源の消費を防止することが可能になる。
【００４６】
（実施例４）
図７は本発明の実施例１の無線データ収集システムを構成する子機受信レベル検出手段４、親機キャリアセンスレベル算出手段５、親機キャリアセンスレベル設定手段６などの要部動作を示すフローチャートである。
【００４７】
図７において、ステップ４２で親機無線通信手段２が受信後、ステップ４３で親機１宛のデータを受信したかどうかを判定し、親機１宛でなければステップ４６のシステムのその他の処理を行う。親機１宛の場合には、ステップ４４で子機受信レベル検出手段４で子機からの受信レベルの検出を行ない、ステップ４５において親機キャリアセンスレベル算出手段５により、例えば子機受信レベルがー５０ｄＢｍであれば、マージンを入れてキャリアセンスレベルを−７０ｄＢｍの算出を行い、親機キャリアセンスレベル設定手段６により親機無線通信手段２のキャリアセンスレベルを−７０ｄＢｍに設定する。
【００４８】
また、親機１のキャリアセンスレベルの初期状態が−１００ｄＢｍに設定されているとすると、上記設定により３０ｄＢ程、他のシステムからの電波干渉を受ける度合いが低減する。その後、ステップ７１でこのキャリアセンスレベルを子機１１に送信して子機１１のキャリアセンスレベルを変えるように動作する。親機１と子機１１の図示はしないがアンテナや、親機無線通信手段２や子機無線通信手段１２の構成が同等である場合には、親機１のキャリアセンスレベルの値を子機１１設定することが可能となる。
【００４９】
以上のように、親機のキャリアセンスレベルを直ぐに子機に設定することが可能となりシステムの起動が早く役なると共に、親機子機のシステムが受ける電波などの干渉を低減することが可能となり、不必要に電池電源の消費を防止することが可能になる。
【００５０】
（実施例５）
図８は本発明の実施例１の無線データ収集システムを構成する子機受信レベル検出手段４、親機キャリアセンスレベル算出手段５、親機キャリアセンスレベル設定手段６などの要部動作を示すフローチャートである。
【００５１】
図８において、ステップ４２で親機無線通信手段２が受信後、ステップ４３で親機１宛のデータを受信したかどうかを判定し、親機１宛でなければステップ８１に進む。親機１宛の場合には、ステップ４４で子機受信レベル検出手段４で子機からの受信レベルの検出を行ない、ステップ４５において親機キャリアセンスレベル算出手段５により、例えば子機受信レベルがー５０ｄＢｍであれば、マージンを入れてキャリアセンスレベルを−７０ｄＢｍの算出を行い、親機キャリアセンスレベル設定手段６により親機無線通信手段２のキャリアセンスレベルを−７０ｄＢｍに設定する。
【００５２】
また、親機１のキャリアセンスレベルの初期状態が−１００ｄＢｍに設定されているとすると、上記設定により３０ｄＢ程、他のシステムからの電波干渉を受ける度合いが低減する。また、上記マージンは受信レベルによって変えることも可能である。
【００５３】
一方、ステップ８１で一定期間受信があったかどうかを判定し、一定時間受信がなければステップ８２でキャリアセンスレベルを変更する。例えば−１００ｄＢｍにすることにより、環境の変化などにより受信が正常に行かなくなった場合に復帰することが可能となる。
【００５４】
以上のように、親機キャリアセンスレベル設定手段６などにより、親機無線通信手段２のキャリアセンスレベルの設定を変えることにより親機が受ける電波などの干渉を低減することが可能となり、不必要に電池電源の消費を防止すると共に、環境の変化により受信状況が悪化した場合に受信性能を復帰させることが可能になる。
【００５５】
（実施例６）
図９は本発明の実施例６の無線データ収集システムを示すブロック図である。
【００５６】
図９において、親機１は親機制御手段９から通信インフラ９１に接続され、図示はしないが情報を交換するセンターなどと通信が可能に構成されている。図１０は本発明の実施例１の無線データ収集システムを構成する子機受信レベル検出手段４、親機キャリアセンスレベル算出手段５、親機キャリアセンスレベル設定手段６などの要部動作を示すフローチャートである。
【００５７】
図３において、ステップ４２で親機無線通信手段２が受信後、ステップ４３で親機１宛のデータを受信したかどうかを判定し、親機１宛でなければステップ４６のシステムのその他の処理を行う。親機１宛の場合には、ステップ４４で子機受信レベル検出手段４で子機からの受信レベルの検出を行ない、ステップ４５において親機キャリアセンスレベル算出手段５により、例えば子機受信レベルがー５０ｄＢｍであれば、マージンを入れてキャリアセンスレベルを−７０ｄＢｍの算出を行い、親機キャリアセンスレベル設定手段６により親機無線通信手段２のキャリアセンスレベルを−７０ｄＢｍに設定する。
【００５８】
また、親機１のキャリアセンスレベルの初期状態が−１００ｄＢｍに設定されているとすると、上記設定により３０ｄＢ程、他のシステムからの電波干渉を受ける度合いが低減する。その後、ステップ１０１でこのキャリアセンスの変更内容を通信インフラ９１を介してセンターに送信することが可能である。
【００５９】
以上のように、親機１はキャリアセンスの変更情報をセンターなどに通報するため、センターは無線システムの状態を把握できるためシステムの管理を綿密に行うことが可能となる。
【００６０】
【発明の効果】
以上説明したように本発明によれば、自システムの近傍に通信ができない他システムや、ノイズを発生するノイズ源がある場合に、その電波干渉の影響を低減するように動作するため、他システムにより起動させられ電源消費の増加や、通信トラフィックを低減することが可能となる。
【図面の簡単な説明】
【図１】本発明の実施例１における無線データ収集システムのブロック図
【図２】同システムの設置例を示す概念図
【図３】同システムの動作を示すフローチャート
【図４】発明の実施例２における無線データ収集システムの動作を示すフローチャート
【図５】本発明の実施例３における無線データ収集システムのブロック図
【図６】同システムの動作を示すフローチャート
【図７】本発明の実施例４における無線データ収集システムの動作を示すフローチャート
【図８】本発明の実施例５における無線データ収集システムの動作を示すフローチャート
【図９】本発明の実施例６における無線データ収集システムのブロック図
【図１０】同システムの動作を示すフローチャート
【図１１】従来の無線データ収集装置のブロック図
【符号の説明】
１  親機
２  親機無線通信手段
３  親機ＩＤ記憶手段
４  子機受信レベル検出手段
５  親機キャリアセンスレベル算出手段
６  親機キャリアセンス設定手段
７  親機受信解析手段
８  親機送信制御手段
９  親機制御手段
１１  子機
１２  子機無線通信手段
１３  子機ＩＤ記憶手段
１４  親機受信レベル検出手段
１５  子機キャリアセンスレベル算出手段
１６  子機キャリアセンスレベル設定手段
１７  子機受信解析手段
１８  子機送信制御手段
１９  子機制御手段
【図１】
2004186865.tif 000003
【図２】
2004186865.tif 000004
【図３】
2004186865.tif 000005
【図４】
2004186865.tif 000006
【図５】
2004186865.tif 000007
【図６】
2004186865.tif 000008
【図７】
2004186865.tif 000009
【図８】
2004186865.tif 000010
【図９】
2004186865.tif 000011
【図１０】
2004186865.tif 000012
【図１１】
2004186865.tif 000013